(57)【特許請求の範囲】
【請求項１】
気体を封入可能な袋体を有してなる可撓性のフェンス本体に取り付けられる送気弁であって、フェンス本体との鍔付き取付枠と、取付枠にパッキンを介して嵌め合わされた雌金具と、雌金具に取り付けられた不還弁と、雌金具に組み込まれ、雄金具の外周溝に嵌まり合う押圧部材および固定部材とからなり、固定部材がつまみ部を有するネジ体であることを特徴とする送気弁。
【請求項２】
押圧部材がスプリングで付勢された球体であり、固定部材がつまみ部を有するネジ体およびスプリングで付勢された球体からなることを特徴とする請求項１に記載の送気弁。
【請求項３】
不還弁が円形の硬質板状体であり、雌金具の内面に押圧するようにスプリングで付勢されたものであることを特徴とする請求項１または２に記載の送気弁。
【請求項４】
不還弁が円形の弾性体であり、円の中心で雌金具に固定され、直径部分が凹溝となされたものであることを特徴とする請求項１または２に記載の送気弁。
【請求項５】
油やゴミ等の流出物が河川や海上等に拡散することを防止するためのフェンスであって、可撓性のフェンス本体の両端部に、請求項１ないし４に記載の送気弁を取り付けてなる流出物拡散防止フェンス。
【請求項６】
複数のフェンス本体を連結するとともに、相対する送気弁間に両端が雄金具のホースを接続し、雄金具の先端が不還弁を押し下げることによって、隣り合うフェンス本体間で空気の流通を可能としたことを特徴とする請求項５に記載の流出物拡散防止フェンス。
【発明の詳細な説明】
【０００１】
【発明の属する技術分野】
本発明は、油やゴミ等の流出物が海上に拡散することを防止するためのフェンスに使用する送気弁に関するものであり、特に、気象条件が厳しい状況であっても、送気ホースの離脱を防止し得る送気弁およびそれを用いた流出物拡散防止フェンスに関するものである。
【０００２】
【従来の技術】
流出物拡散防止フェンスは、海上において油やゴミ等の汚染物質が流出した場合、周辺に拡散することを防止して所定の範囲内に止め、汚染物質の回収を図ることを目的として使用されるものである。そして、このようなフェンスとして、気体を封入可能な袋体からなり、気室内にブロワーで給気することにより浮力を確保する、充気式フェンスと呼ばれるものが知られている。
【０００３】
充気式フェンスは、一般的に、給気ポンプを搭載した船舶によってフェンスを海上に引き出しつつ気室内に給気して浮力を確保し、連続的に展張する方法が採用されている。ここで、特に油の流出時にあっては早急に展張する必要があるため、送気弁に簡単かつ確実に送気ホースを接続でき、しかも、波が荒い等の気象条件が厳しい状況であっても、送気ホースが離脱することのないものが要求される。
【０００４】
しかしながら、従来の送気弁は図５に示すようなものが使用されており、簡単に送気ホースを接続できるものの、波等によって送気弁と送気ホースとの間に繰り返し相対変位が生じると、送気ホースが離脱してしまう場合があった。すなわち、送気弁を構成する雌金具１２には球状の押圧部材１３が等間隔で複数個取り付けられ、この押圧部材１３が送気ホース１４の雄金具１５に設けられた外周溝１６に嵌まり込んで接続が完了する。ここで、押圧部材１３は、スプリング１７の付勢のみによって雌金具１２の内面から突出し、雄金具１５の外周溝１６に嵌まるものであるため、雄金具１５がスプリング１７の付勢以上の力で引っ張られると、簡単に送気ホース１４が離脱してしまうのである。
【０００５】
このような構造は、送気ホースの接続、解除が簡単である点で優れたものではあるが、海上で使用する機会が多く、しかも気象条件の厳しい場合であっても展張を余儀なくされる流出物拡散防止フェンスにおいては好ましいものではない。すなわち、送気ホースの外れによってフェンス内に給気できなくなり、迅速な展張が妨げられ、最悪の場合には流出物が周囲に拡散してしまうからである。
【０００６】
【発明が解決しようとする課題】
そこで本発明は、このような従来の送気弁を改良し、送気ホースの接続の簡便さを維持しつつ、気象条件が厳しい状況であっても、送気ホースの離脱を防止し得る送気弁およびそれを用いた流出物拡散防止フェンスを提供することを目的とするものである。
【０００７】
【課題を解決するための手段】
本発明は、以上の課題を解決するためになされたものであって、その要旨は、気体を封入可能な袋体を有してなる可撓性のフェンス本体に取り付けられる送気弁であって、フェンス本体との鍔付き取付枠と、取付枠にパッキンを介して嵌め合わされた雌金具と、雌金具に取り付けられた不還弁と、雌金具に組み込まれ、雄金具の外周溝に嵌まり合う押圧部材および固定部材とからなり、固定部材がつまみ部を有するネジ体である送気弁に係るものである。そして、好ましくは、押圧部材がスプリングで付勢された球体であり、固定部材がつまみ部を有するネジ体およびスプリングで付勢された球体からなるものであって、不還弁が円形の硬質板状体であり、雌金具の内面に押圧するようにスプリングで付勢されたものであるか、または、不還弁が円形の弾性体であり、円の中心で雌金具に固定され、直径部分が凹溝となされたものである。
【０００８】
また、油やゴミ等の流出物が河川や海上等に拡散することを防止するための可撓性のフェンス本体の両端部に、上記の送気弁を取り付けてなる流出物拡散防止フェンスに係るものであり、好ましくは、複数のフェンス本体を連結するとともに、相対する送気弁間に両端が雄金具のホースを接続し、雄金具の先端が不還弁を押し下げることによって、隣り合うフェンス本体間で空気の流通を可能とした流出物拡散防止フェンスに係るものである。
【０００９】
【発明の実施の形態】
本発明において、送気ホースの外れ防止部材である押圧部材は、従来と同様に雄金具の外周溝に嵌まり合うものである。そして、本発明においては、押圧部材に加えて、または、押圧部材の一部に代えて固定部材を設けたものである。この固定部材はつまみ部を有するネジ体であり、送気ホースの接続後につまみ部を回してネジ込むことにより、雄金具の外周溝に嵌まり込んでロックされる。したがって、固定部材を緩めない限り、送気ホースが離脱することはないのである。
【００１０】
また、押圧部材および固定部材はスプリングで付勢された球体とすることが好ましい。このようなものであれば、雄金具の挿入に伴って球体が押し込まれ、外周溝と一致したときに球体がスプリングの付勢によって自動的に嵌まり込み、送気ホースの接続ができるからである。この場合、固定部材のネジ込みによってスプリングが縮まるので、固定部材の球体が雄金具の外周溝から外れることなく、ロック状態が維持される。
【００１１】
ここで、フェンス内の気密性を確保するための不還弁は、円形の硬質板状体であって雌金具の内面に押圧するようにスプリングで付勢されたものであるか、または、不還弁が円形の弾性体であって円の中心で雌金具に固定され、かつ、直径部分が凹溝となされたものを使用することができる。円形の硬質板状体とした場合には、雌金具にスプリングで押圧されることによって気密性が確保され、給気の際は、送気ホースの雄金具に設けられた凸部が不還弁を押し下げるよう当接して不還弁が雌金具と離間し、給気口が確保される。一方、円形の弾性体とした場合には、上記に加え、送気ホースの雄金具を不還弁に当接しなくても、送気圧による変形だけで給気口が得られるという利点がある。
【００１２】
なお、不還弁を弾性体とした場合における材質としては、ＣＲゴム等の合成ゴムや軟質樹脂等が使用可能である。また、直径部分の凹溝薄肉部の肉厚は、他の部分の肉厚の１／４から３／４とすることが好ましい。１／４より薄くなると、繰り返しの使用によって、薄肉部に亀裂が生じる可能性が高くなるからであり、３／４より厚いと、送気圧が低い場合にあっては、曲げ変形による給気口の確保が難しくなるからである。
【００１３】
本発明の送気弁は、充気式の流出物拡散防止フェンスに好適に使用される。充気式フェンスにおけるフェンス本体は、気体を封入可能な袋体をからなるものであって、川面や海面に浮かべることが可能となされ、かつ、巻き取りや折り畳みが可能なように可撓性を有するものである。すなわち、フェンス本体としては、対候性、耐油性に富んだポリエステル補強塩ビ引布でフロート用気室を構成するとともに、ポリエステル製のテンションベルトで補強し、気室内にブロワーで給気することにより浮力を確保するもの、また、ポリエステル補強の板状ゴムの内部に非接着層を設けて気室とし、同様に気室内に給気して浮力を確保する構成のフェンス本体に使用するものである。
【００１４】
そして、フェンス本体の両端部に送気弁を取り付けることにより、給気の際のフェンス本体の方向性を問うことなく、迅速に給気できることとなる。また、複数のフェンス本体を連結するとともに、相対する送気弁間に両端が雄金具のホースを接続し、雄金具の先端が不還弁を押し下げることによって、隣り合うフェンス本体間で空気の流通を可能とすることが好ましい。この場合、展張の際に引き出し船から先端のフェンスに給気すれば、連結している全てのフェンスに給気できるので、船でフェンスを引き出すだけで、浮力を確保しつつ、容易に展張することが可能となるからである。なお、岸壁等において一本づつ順次給気して展張することも可能であり、この展張方法を採用する場合には、隣り合うフェンス本体間の接続ホースは不要である。また、給気終了後等でホースが接続されていない状態の送気弁には、蓋がされる。
【００１５】
【実施例】
以下、本発明の好ましい実施の形態を図面により説明する。
図１は、本発明の送気弁１を示す断面図である。図１において、可撓性のフェンス本体２に取り付けられる送気弁１は、鍔付き取付枠３、パッキン４、雌金具５、不還弁６、押圧部材７および固定部材８とから構成されている。すなわち、フェンス本体２には鍔付き取付枠３が固定され、取付枠３に雌金具５がネジ止めされる。ここで、取付枠３と雌金具５との間にはパッキン４が挿入されており、ネジ部からの空気漏れを防止している。したがって、不還弁７等に何らかの故障が生じた場合には、雌金具５ごと取り外して修理または交換が簡単にできるようになっている。
【００１６】
固定部材８は、球体８Ａ、スプリング８Ｂ、ネジ部８Ｃ、つまみ部８Ｄから構成されている。すなわち、図１に示す状態ではネジ部８Ｃが緩んだ状態となっており、スプリング８Ｂの付勢によって球体８Ａが雌金具５の内面から突出しているが、送気ホース９の雄金具１０が挿入されると球体８Ａが押し込まれ、外周溝１１と一致した状態となったときに、球体８Ａが外周溝１１に嵌まり込んで送気ホース９が接続される。なお、押圧部材７も球体７Ａ、スプリング７Ｂとから構成されており、図１に示す状態では押圧部材７および固定部材８は全く同様の作用をし、雌金具５の内面に等間隔で押圧部材７が５個、固定部材８が１個取り付けられている。
【００１７】
また、図１に示す不還弁６は、直径４５ｍｍ、厚さ１ｍｍの円形のＣＲゴムからなり、直径部分に幅３ｍｍ、深さ０．５ｍｍの凹溝６Ａが設けられたものである。そして、円の中心部にある突起が雌金具５に嵌め込まれて固定されるようになっている。
【００１８】
図２は、図１に示した送気弁１に送気ホース９を接続し、給気中の状態を示す断面図である。すなわち、送気圧によって不還弁６が凹溝６Ａを中心に折れ曲がり、雌金具５と離間して給気口が形成されている。また、送気ホース９の雄金具１０の先端は不還弁６と接触することのない寸法とされており、給気が終了して送気圧がなくなれば、不還弁６はもとの平板状に戻って雌金具５の内面と接触し気密性が保持される。
【００１９】
図２に示す給気中の状態では、押圧部材７の球体とともに押圧部材８の球体が雄金具１０の外周溝１１に嵌まり込んでいる。そして、押圧部材８のネジ部が締め付けられた状態となっているので押圧部材８の球体は動くことができず、したがって、送気ホース９は離脱不可能となっているのである。なお、離脱させる際は、押圧部材８のつまみ部を回転させて緩めてやれば図１に示す状態に戻り、雄金具１０を引き抜くと押圧部材７の球体および押圧部材８の球体がスプリングの付勢に反して押し込まれ、外周溝１１から外れて送気ホースが離脱する。
【００２０】
図３は、本発明の他の送気弁１を示す断面図である。図３に示す実施例では、不還弁６が円形の硬質板状体であり、雌金具５の内面に押圧するようにスプリングで付勢されたものである点が図１に示した実施例と異なる。ただし、図３は図２に対応する給気中の状態を示しており、押圧部材８のネジ部が締め付けられた状態となっているとともに、雄金具１０の先端が不還弁６を押し下げて給気口を確保している。
【００２１】
図４は、図３に示した実施例の送気弁をフェンス本体の両端部に取り付けた状態を示す斜視図である。すなわち、送気弁１Ａをフェンス本体２Ａの両端部に取り付けるとともに、連結された隣り合う別のフェンス本体２Ｂの両端部にも送気弁１Ｂを取り付け、さらに、送気弁１Ａと送気弁１Ｂとの間を送気ホース９で接続したものである。したがって、フェンス本体２Ａ，２Ｂ間で空気の流通が可能となっている。なお、図４において、フェンス本体２Ａ，２Ｂはポリエステル補強塩ビ引布からフロート用気室２Ｃを構成したものであり、気室２Ｃの下部にはスカート２Ｄが一体的に形成されている。また、スカートの下端は袋状とされており、袋内に重り２Ｅが挿入されている。
【００２２】
このような流出物拡散防止フェンスは、主に油の流出時に展張されるものである。すなわち、通常は岸壁上に折り畳まれたり巻き取られたりして保管されており、必要時に、フェンス本体２Ａの先端部に連結された図示しない展張索を介して海上に引き出される。ここで、図４に示すフェンスにおいては、フェンス本体２Ａ，２Ｂ間で空気の流通が可能となっているので、ポンプを搭載した船舶から給気してフェンス本体２Ａの浮力を確保しつつ引き出し、続いて送気ホース９によってフェンス本体２Ｂにも給気して連続的にフェンス本体を浮上させながら展張することができる。
【００２３】
なお、展張方法は上記の方法に限られず、岸壁上でフェンス本体２Ａの一端の送気弁から給気して浮力を確保した後当該フェンス本体２Ａを海上に引き出し、続いて次のフェンス本体２Ｂを岸壁上で同様に給気し、引き出すことを繰り返して全体を展張することもできる。また、フェンス本体２Ａ，２Ｂの全長を２０ｍ程度とすれば、上記した様々な展張方法に対して施工性に優れたものとなる。さらに、展張終了後はフェンス本体２Ａ，２Ｂ内の空気を排気する必要があるが、図４に示すフェンス本体２Ａ，２Ｂは排気ファスナー２Ｆを有しており、排気ファスナー２Ｆを開けることで、簡単かつ迅速に排気することができるようになっている。
【００２４】
【発明の効果】
本発明は、雄金具の外周溝に嵌まり合う固定部材を、つまみ部を有するネジ体としたので、送気ホースの接続の簡便さを維持しつつ、気象条件が厳しい状況であっても、送気ホースの離脱を確実に防止することができる。特に、送気弁における不還弁を円形の弾性体とすれば、送気圧で曲げ変形させて給気口を確保できるので、構造が簡易で、耐久性、信頼性に優れた送気弁を得ることができる。
【００２５】
また、本発明の送気弁をフェンス本体の両端部に取り付けた流出物拡散防止フェンスとすることにより、給気の際のフェンス本体の方向性を問うことなく、また、送気ホースの離脱を心配することなく、迅速に給気することが可能となる。さらに、展張時に２通りの方法を状況に応じて採用することができ、緊急時において迅速な対応が可能となる。
【図面の簡単な説明】
【図１】図１は、本発明の第１実施例の送気弁を示す断面図である。
【図２】図２は、第１実施例の送気弁に送気ホースを接続し、固定部材をロックした状態を示す断面図である。
【図３】図３は、第２実施例の送気弁に送気ホースを接続し、固定部材をロックした状態を示す断面図である。
【図４】図４は、本発明の送気弁をフェンスに取り付け、送気ホースで接続した状態を示す斜視図である。
【図５】図５は、固定部材のない、従来の送気弁を示す断面図である。
【符号の説明】
１，１Ａ，１Ｂ‥送気弁
２，２Ａ，２Ｂ‥フェンス本体
２Ｃ‥気室
２Ｄ‥スカート
２Ｅ‥重り
２Ｆ‥排気ファスナー
３‥鍔付き取付枠
４‥パッキン
５‥雌金具
６‥不還弁
６Ａ‥凹溝
７‥押圧部材
７Ａ‥球体
７Ｂ‥スプリング
８‥固定部材
８Ａ‥球体
８Ｂ‥スプリング
８Ｃ‥ネジ部
８Ｄ‥つまみ部
９‥送気ホース
１０‥雄金具
１１‥外周溝
１２‥雌金具
１３‥押圧部材
１４‥送気ホース
１５‥雄金具
１６‥外周溝
１７‥スプリング
【図１】
0004018296.tif 000002
【図２】
0004018296.tif 000003
【図３】
0004018296.tif 000004
【図４】
0004018296.tif 000005
【図５】
0004018296.tif 000006